(57)【要約】【課題】複数の送信機能を備えた画像伝送装置において、線密度の自動変更による不具合の発生を未然に防止する。【解決手段】本装置を、ある原稿の送信を行う際、宛先として相手先ＦＡＸの加入者番号（ＦＡＸ番号）と、メールとして送信するＳｃａｎ Ｔｏ Ｅｍａｉｌ宛先のＩＰアドレスとを同報宛先として設定可能な構成にし、パラメータメモリを、送信ファイルの管理情報を記録可能にして、例えばファイル１は６００×６００ｄｐｉで読み取りが行われたが、ＦＡＸ宛先に対しては６００×６００ｄｐｉでの送信ができないために、４００×４００ｄｐｉで送信する旨の情報を記録する。実際に送信動作を行う際、ＣＰＵ（中央演算処理ユニット）は、ＦＡＸ送信時、前記情報に基づき線密度変換を自動的に行わせて送信させ、前記パラメータメモリに記録されている情報の画像を操作表示部に表示させる。【選択図】図２
2005217744.tif 000002
【特許請求の範囲】
【請求項１】
公衆回線あるいはインターネットなどの通信網を介して画像の送受信を行うことが可能な画像伝送装置であって、公衆回線を使用したファックス送信手段と、ネットワークを介して所望のインターネット・プロトコル・アドレスにメールとして送信するメール送信手段とを備え、単一の画像データについて前記各送信手段により一括送信を可能とし、さらに前記一括送信の際に、前記各送信手段に応じた線密度の自動変更を行う手段を備え、かつ自動変更を行ったことを送信履歴情報として表示する表示手段を備えたことを特徴とする画像伝送装置。
【請求項２】
公衆回線あるいはインターネットなどの通信網を介して画像の送受信を行うことが可能な画像伝送装置であって、公衆回線を使用したファックス送信手段と、ネットワークを介して所望のインターネット・プロトコル・アドレスにメールとして送信するメール送信手段とを備え、単一の画像データについて前記各送信手段により一括送信を可能とし、さらに前記一括送信の際に、前記各送信手段に応じた線密度の自動変更を行う手段を備え、かつ自動変更を行ったことを送信履歴情報として印字出力する印字手段を備えたことを特徴とする画像伝送装置。
【請求項３】
公衆回線あるいはインターネットなどの通信網を介して画像の送受信を行うことが可能な画像伝送装置であって、公衆回線を使用したファックス送信手段と、ネットワークを介して所望のインターネット・プロトコル・アドレスにメールとして送信するメール送信手段とを備え、単一の画像データについて前記各送信手段により一括送信を可能とし、さらに前記一括送信の際に、前記各送信手段に応じた線密度の自動変更を行う手段を備え、かつ自動変更を行う際に、前記変更の可否の選択が使用者により行われる選択手段を備えたことを特徴とする画像伝送装置。
【発明の詳細な説明】
【技術分野】
【０００１】
本発明は、スキャナにより読み取った画像の送信（Ｓｃａｎ Ｔｏ Ｅｍａｉｌ），ファクシミリなどの複数の送信機能を備えた画像伝送装置に関するものである。
【背景技術】
【０００２】
公衆回線あるいはインターネットなどの通信網を介して画像の送受信を行うことが可能な画像伝送装置であるデジタル複合機が存在しており（特許文献１参照）、このようなデジタル複合機においては、ＦＡＸ送信，スキャン情報を所望のＩＰ（インターネット・プロトコル）アドレスに送信するなど、画像データの送信手段が多様化しており、また、通信インフラも新旧が並存する状況となっている。
【０００３】
このような状況において、ある原稿を一度の読取動作で読み取り、そのデータを、宛先の受信環境にあわせて一括送信するために、複数の送信手段で送信するニーズが高まっている。
【特許文献１】特開２００４−１５６７２号公報
【発明の開示】
【発明が解決しようとする課題】
【０００４】
しかしながら、送信手段によっては、伝送手順の差異により同一のデータでは送信できないことがある。
【０００５】
例えば画像データの線密度に関しては、ＦＡＸ送信では６００×６００ｄｐｉの送信手順は標準化されておらず、機器によっては、粗い線密度しかサポートしていないものもある。
【０００６】
その際、Ｓｃａｎ Ｔｏ Ｅｍａｉｌでは６００×６００ｄｐｉで送信することができる画像データを、ＦＡＸ送信宛先用には４００×４００ｄｐｉあるいは２００×２００ｄｐｉの線密度に自動変更して送信する必要が生ずる。このような自動変更処理が発生した場合、変更による不具合を回避するため、送信者にその事実を通知する手段が必要となっている。
【０００７】
本発明の目的は、前記のような線密度の自動変更による不具合の発生を未然に防止することができるようにした、複数の送信機能を備えた画像伝送装置を提供することにある。
【課題を解決するための手段】
【０００８】
前記目的を達成するため、請求項１に記載の発明は、公衆回線あるいはインターネットなどの通信網を介して画像の送受信を行うことが可能な画像伝送装置であって、公衆回線を使用したファックス送信手段と、ネットワークを介して所望のインターネット・プロトコル・アドレスにメールとして送信するメール送信手段とを備え、単一の画像データについて前記各送信手段により一括送信を可能とし、さらに前記一括送信の際に、前記各送信手段に応じた線密度の自動変更を行う手段を備え、かつ自動変更を行ったことを送信履歴情報として表示する表示手段を備えたことを特徴とし、この構成によって、線密度の自動変更を行ったことを送信履歴情報として表示することにより、使用者において確認かつ認識することができる。
【０００９】
請求項２に記載の発明は、公衆回線あるいはインターネットなどの通信網を介して画像の送受信を行うことが可能な画像伝送装置であって、公衆回線を使用したファックス送信手段と、ネットワークを介して所望のインターネット・プロトコル・アドレスにメールとして送信するメール送信手段とを備え、単一の画像データについて前記各送信手段により一括送信を可能とし、さらに前記一括送信の際に、前記各送信手段に応じた線密度の自動変更を行う手段を備え、かつ自動変更を行ったことを送信履歴情報として印字出力する印字手段を備えたことを特徴とし、この構成によって、線密度の自動変更を行ったことを、使用者において印字出力されたものによって確認かつ認識することができる。
【００１０】
請求項３に記載の発明は、公衆回線あるいはインターネットなどの通信網を介して画像の送受信を行うことが可能な画像伝送装置であって、公衆回線を使用したファックス送信手段と、ネットワークを介して所望のインターネット・プロトコル・アドレスにメールとして送信するメール送信手段とを備え、単一の画像データについて前記各送信手段により一括送信を可能とし、さらに前記一括送信の際に、前記各送信手段に応じた線密度の自動変更を行う手段を備え、かつ自動変更を行う際に、前記変更の可否の選択が使用者により行われる選択手段を備えたことを特徴とし、この構成によって、線密度の自動変更を行う際に、使用者が自動変更による線密度では不具合を生じるか否かを判断して、画像送信することができるようになる。
【発明の効果】
【００１１】
本発明の画像伝送装置によれば、複数の画像送信機能を具備し、かつ線密度の自動変更が可能であっても、その自動変更による画像送信による不具合の発生を未然に防止することができる。
【発明を実施するための最良の形態】
【００１２】
以下、本発明の実施の形態を図面を参照して説明する。
【００１３】
図１は本発明の実施形態を説明するためのデジタル複合機の構成を示すブロック図であり、１と２は原稿読取部を構成する原稿センサとスキャナ、３と４は印字部を構成する用紙センサと印字プロッタ、５はスキャナ２からの読取データを符号化／復号化する符号化／復号化部、６は、操作モードの設定入力を行う入力キー、および各種状態を表示する表示部が設けられた操作表示部である。
【００１４】
７は画像メモリ、８はファームウエアプログラムなどを記憶しているＲＯＭ（Read Only Memory）、９は各種パラメータ情報などを記憶するパラメータメモリ、１０はバッファメモリ、１１はバッテリ、１２は使用者確認のための指紋入力部、１３はキャラクタジェネレータである。
【００１５】
１５は通信制御部、１６はＮＩＣ（Network Interface Card）、１７は無線制御部、１８はスピーカー、１９はモデム、２０は網制御装置である。
【００１６】
そして、前記各部はＣＰＵ（中央演算処理ユニット）２１によって、全体的にコントロールされている。
【００１７】
図１において、ＲＯＭ８に記憶されているファームウエアプログラムによって各ブロックが制御され、原稿送信時には、通信制御部１５がモデム１９と網制御装置２０を制御して、スキャナ２から読み取ったイメージ情報を公衆回線網に送出する。
【００１８】
また、ＮＩＣ１６を介して各種情報をＬＡＮ・ネットワーク上で送受信する。無線制御部１７では携帯装置と正常に通信するためのデータ制御を行う。無線制御部１７の無線通信インターフェース（Ｉ／Ｆ）としては、機器間の短距離の通信Ｉ／Ｆとして、無線ＬＡＮのプロトコルの一つである「Bluetooth」などが知られている。
【００１９】
本実施形態のデジタル複合機は、スキャナ２，プロッタ４，符号化／復号化部５，画像メモリ７を用いることによって、デジタルコピー，スキャナ，プリンタとして機能する。操作表示部６では、使用者により入力された情報を取り込み、これによる動作状態などを表示する。
【００２０】
また、本実施形態では具体的手段は図示しないが、原稿両面読み取り、用紙両面印字動作において、機械系の構造，動作との関係により、画像メモリ７に画情報が適宜蓄積され、ページ順序性が制御されるようになっている。
【００２１】
図２は本実施形態のパラメータメモリ９における送信ファイルの管理情報の蓄積状態を示す説明図であり、本例ではファイル１〜４の情報を示している。
【００２２】
図２に示すように、本実施形態では、ある原稿の送信を行う際、宛先として相手先ＦＡＸの加入者番号（ＦＡＸ番号）と、メールとして送信するＳｃａｎ Ｔｏ Ｅｍａｉｌ宛先のＩＰアドレスとを、同報宛先として設定することができる。ファイル１〜３は、両送信が設定された例であり、ファイル４はＦＡＸのみが設定された例である。
【００２３】
また、パラメータメモリ９において、ファイル１は６００×６００ｄｐｉで読み取りが行われたが、ＦＡＸ宛先に対しては６００×６００ｄｐｉでの送信ができないために、４００×４００ｄｐｉで送信する旨の情報が格納されている。
【００２４】
そして、実際に送信動作を行う際、ＣＰＵ２１は、ＦＡＸ送信時、前記情報に基づき線密度変換を自動的に行わせて送信させる。また図２に示す情報画像は、操作表示部６におけるＬＣＤなどからなる表示部に表示される。
【００２５】
図３は線密度変換を自動的に行わせた場合の使用者への報知例を示す説明図であり、この例では、図３に示すような表示を操作表示部６において送信ファイルごとに行わせ、かつプロッタ４を駆動させて印字出力する。
【００２６】
図４は線密度変換を自動的に行わせる際に使用者へ問い合わせするための画面表示／入力例を示す説明図であり、スキャナ２にて原稿を読み取った後、線密度自動変更を行うか否かの使用者による選択を促すための操作表示部６における画面である。
【００２７】
図４に示すように、この画面で［ＯＫ］を押下すれば、線密度自動変更を行ってＦＡＸ送信し、［送信中止］を押下すれば、ＦＡＸ宛先への送信は中止してＳｃａｎ Ｔｏ Ｅｍａｉｌ宛先のみに６００×６００ｄｐｉで送信が行われることになる。
【産業上の利用可能性】
【００２８】
本発明は、公衆回線あるいはインターネットなどの通信網を介して、複数の手段により画像の送受信を行うことが可能な画像伝送装置に適用され、特にＳｃａｎ Ｔｏ Ｅｍａｉｌ，ファクシミリなどの異なる複数の送信機能と、線密度の自動変更機能とを備えた画像伝送装置に用いて有効である。
【図面の簡単な説明】
【００２９】
【図１】本発明の実施形態を説明するためのデジタル複合機の構成を示すブロック図
【図２】本実施形態のパラメータメモリにおける送信ファイルの管理情報の蓄積状態を示す説明図
【図３】線密度変換を自動的に行わせた場合の使用者への報知例を示す説明図
【図４】本実施形態に係る線密度変換を自動的に行わせる際に使用者へ問い合わせするための画面表示／入力例を示す説明図
【符号の説明】
【００３０】
２  スキャナ
４  印字プロッタ
５  符号化／復号化部
６  操作表示部
７  画像メモリ
８  ＲＯＭ
９  パラメータメモリ
１３  キャラクタジェネレータ
１５  通信制御部
１６  ＮＩＣ（Network Interface Card）
１９  モデム
２０  網制御装置
２１  ＣＰＵ
【図１】
2005217744.tif 000003
【図２】
2005217744.tif 000004
【図３】
2005217744.tif 000005
【図４】
2005217744.tif 000006